(57)【要約】【課題】微量な検体であっても、その検体を確実に採取することができる成分測定用チップを提供すること。【解決手段】チップ１は、成分測定装置に装着されて使用されるものである。このチップ１は、チップ本体２と、チップ本体２の先端部に形成され、すり鉢状の導液部３と、検体を吸収可能であり、導液部３の裏面側に設置された試験紙５と、成分測定装置に装着される爪４とを備えている。導液部３は、外径が先端方向に向って漸増するテーパ状の導液面３１と、底板３２と、底板３２に形成された貫通孔３３とを有している。【選択図】図４
2006098230.tif 000002
【特許請求の範囲】
【請求項１】
成分測定装置に装着されて使用される成分測定用チップであって、
チップ本体と、
前記チップ本体の先端部に形成され、すり鉢状をなす導液部と、
検体を吸収可能であり、前記導液部の裏側に設置された試験紙と、
前記成分測定装置に装着される装着部とを備え、
前記導液部は、内径が先端方向に向って漸増するテーパ状の導液面と、底板と、該底板に形成された貫通孔とを有することを特徴とする成分測定用チップ。
【請求項２】
前記貫通孔は、その中心から外周側へ放射状に延びる複数の放射部を有する形状をなしている請求項１に記載の成分測定用チップ。
【請求項３】
前記貫通孔は、その形状が十文字状をなす請求項２に記載の成分測定用チップ。
【請求項４】
隣接する前記放射部の間に形成されているリブには、前記貫通孔へ前記検体を誘導する傾斜面が設けられている請求項２または３に記載の成分測定用チップ。
【請求項５】
前記導液面には、前記検体の流下を促進する流下促進手段が設けられている請求項１ないし４のいずれかに記載の成分測定用チップ。
【請求項６】
前記流下促進手段は、放射状に配置された複数の溝で構成されている請求項５に記載の成分測定用チップ。
【発明の詳細な説明】
【技術分野】
【０００１】
本発明は、例えば血糖値の測定のような、検体中の目的成分の量を測定するための成分測定用チップに関する。
【背景技術】
【０００２】
血糖値の測定を行う血糖測定装置（血中成分測定装置）が知られている。この血糖測定装置は、血中のブドウ糖量に応じて呈色する試験紙に血液（検体）を供給・展開し、試験紙の呈色の度合いを光学的に測定（測色）して血糖値を定量化するものである。
【０００３】
このような従来の血糖測定装置では、成分測定用チップを装着して、その成分測定用チップから血液を採取する。採取された血液は、成分測定用チップに設置されている試験紙に吸収される。この試験紙の測色は、発光素子および受光素子を備える測光部において、試験紙に光を照射しその反射光の強度を測定することにより行われている。
【０００４】
成分測定用チップ（血液検査具）としては、有底筒状（カップ状）のチップ本体（ホルダ）と、該チップ本体の底部内側に設置された試験紙（血液吸収性部材）と、チップ本体の底部に突出形成された細管とで構成されている（例えば、特許文献１参照）。このような成分測定用チップを血糖測定装置に装着した状態で、細管の先端に血液（検体）を接触させると、毛細管現象により血液は細管内に吸引されて、試験紙へ到達する。
【０００５】
ところで、近年では、例えば、患者から血液を吐出させるときの当該患者に対する穿刺時の痛み（穿刺痛）の軽減や、成分測定用チップ（細管）を血液に付着（点着）する付着操作の失敗を防止する等のために、採取する（付着する）血液の量を微量（例えば、１μＬ以下）とする傾向がある。
【０００６】
しかしながら、前記成分測定用チップでは、細管の流路が長いため、微量な血液が試験紙まで確実に到達する、すなわち、血液を確実に採取するのが困難な場合があった。
【０００７】
また、前記成分測定用チップでは、細管の外径が細い（小さい）ため、すなわち、細管における血液が付着（接触）可能な面積が小さいため、血液に対する付着位置がズレた場合、血液を確実に採取するのが困難となるおそれが生じるという問題があった。
【０００８】
【特許文献１】特開平１０−１９８８８号公報
【発明の開示】
【発明が解決しようとする課題】
【０００９】
本発明の目的は、微量な検体であっても、その検体を確実に採取することができる成分測定用チップを提供することにある。
【課題を解決するための手段】
【００１０】
このような目的は、下記（１）〜（６）の本発明により達成される。また、下記（７）〜（１０）であるのが好ましい。
（１）  成分測定装置に装着されて使用される成分測定用チップであって、
チップ本体と、
前記チップ本体の先端部に形成され、すり鉢状をなす導液部と、
検体を吸収可能であり、前記導液部の裏側に設置された試験紙と、
前記成分測定装置に装着される装着部とを備え、
前記導液部は、内径が先端方向に向って漸増するテーパ状の導液面と、底板と、該底板に形成された貫通孔とを有することを特徴とする成分測定用チップ。
【００１１】
（２）  前記貫通孔は、その中心から外周側へ放射状に延びる複数の放射部を有する形状をなしている上記（１）に記載の成分測定用チップ。
【００１２】
（３）  前記貫通孔は、その形状が十文字状をなす上記（２）に記載の成分測定用チップ。
【００１３】
（４）  隣接する前記放射部の間に形成されているリブには、前記貫通孔へ前記検体を誘導する傾斜面が設けられている上記（２）または（３）に記載の成分測定用チップ。
【００１４】
（５）  前記導液面には、前記検体の流下を促進する流下促進手段が設けられている上記（１）ないし（４）のいずれかに記載の成分測定用チップ。
【００１５】
（６）  前記流下促進手段は、放射状に配置された複数の溝で構成されている上記（５）に記載の成分測定用チップ。
【００１６】
（７）  前記底板における前記試験紙側の面には、前記貫通孔の近傍に、前記試験紙に当接する突起が設けられている上記（１）ないし（６）のいずれかに記載の成分測定用チップ。
【００１７】
（８）  前記チップ本体の外周部は、その外径が先端方向に向って漸減している部分を有する上記（１）ないし（７）のいずれかに記載の成分測定用チップ。
【００１８】
（９）  前記チップ本体には、前記貫通孔を介して前記導液面の内周側と連通する内腔部が設けられている上記（１）ないし（８）のいずれかに記載の成分測定用チップ。
【００１９】
（１０）  前記チップ本体には、その外径より拡径した拡径部が設けられている上記（１）ないし（９）のいずれかに記載の成分測定用チップ。
【発明の効果】
【００２０】
本発明によれば、導液面と底板と貫通孔とを有する導液部が設けられていることより、微量な検体であっても、その検体を確実に採取することができる。
【発明を実施するための最良の形態】
【００２１】
以下、本発明の成分測定用チップを添付図面に示す好適な実施形態に基づいて詳細に説明する。
【００２２】
＜第１実施形態＞
図１は、本発明の成分測定用チップの第１実施形態を示す平面図、図２は、図１に示す成分測定用チップの側面図、図３は、図１に示す成分測定用チップの底面図（下面図）、図４は、図１中のＡ−Ａ線断面図、図５は、図４中の二点鎖線で囲まれた領域［Ｂ］の拡大詳細図、図６は、図１に示す成分測定用チップを成分測定装置に装着して血液（検体）を採取するときの状態を示す縦断面図である。なお、図２、図４〜図６中の左側を「基端」、右側を「先端」として説明する。
【００２３】
図６に示すように、成分測定用チップ１（以下、単に「チップ１」と言う）は、成分測定装置１００のチップ装着部１０１に装着して使用されるものである。図４に示すようにこのチップ１は、チップ本体２と、チップ本体２の先端部に形成された導液部３と、導液部３の基端側（裏側）に設置された試験紙５と、チップ本体２の基端面に立設された複数の爪（装着部）４とで構成されている。以下、各部の構成について説明する。
【００２４】
チップ本体２は、その形状が有底筒状をなしている。
図２に示すように、チップ本体２の外周部２４には、外径が先端方向に向って漸減する、すなわち、テーパ状をなす第１のテーパ部２４１および第２のテーパ部２４２が設けられている。
【００２５】
第１のテーパ部２４１は、チップ本体２の外周部２４の基端側に設けられている。
また、第２のテーパ部２４２は、チップ本体２の外周部２４の先端側に設けられている。第２のテーパ部２４２は、そのテーパ角度が第１のテーパ部のテーパ角度より小さくなるよう形成されている。
【００２６】
また、このような外周部２４では、第１のテーパ部２４１および第２のテーパ部２４２の各端部同士が連続している。
【００２７】
このようにチップ本体２の外周部２４がテーパ状をなしていることにより、チップ１（チップ本体２）では、先端側の外径が基端側の外径より小さく（細く）なる。これにより、図６に示すように、チップ１を血液７に付着（接触）させるとき、その付着位置を視認（確認）し易くなり、よって、チップ１を正確に付着させることができる。
【００２８】
また、チップ本体２の外周部２４（第１のテーパ部２４１）の基端部には、フランジ部（拡径部）２２が設けられている。このフランジ部２２は、第１のテーパ部２４１の最大外径より拡径するように形成されている。
【００２９】
フランジ部２２の外径は、チップ装着部１０１の先端の外径とほぼ等しいかまたはそれより小さいのが好ましい。図６では、フランジ部２２の外径は、チップ装着部１０１の先端の外径ほぼ等しくなるように設定されている。これにより、フランジ部２２の外縁部に指等が触れたときでも、チップ１が不本意にチップ装着部１０１から外れることが防止される。
【００３０】
図６に示すように、成分測定装置１００のチップ装着部１０１にチップ１を装着した状態（以下「チップ装着状態」と言う）では、フランジ部２２の基端面２３がチップ装着部１０１の先端に当接し、チップ１の図６中左右方向（試験紙５の法線方向）の位置決めを行う。すなわち、チップ本体２は、それ自体（フランジ部２２）がチップ１のチップ装着部１０１に対する位置決め機能を有している。
【００３１】
図４に示すように、チップ本体２には、第１の内腔部２５と第２の内腔部２６とが設けられている。
【００３２】
第１の内腔部２５は、その形状がほぼ円柱状をなしており、チップ本体２の基端側に設けられている。
【００３３】
また、第２の内腔部２６は、その形状がほぼ円柱状をなしており、チップ本体２の先端側に設けられている。この第２の内腔部２６は、第１の内腔部２５と連通し、かつ、後述する貫通孔３３を介して導液面３１の内周側と連通している。また、第２の内腔部２６の内径は、第１の内腔部２５の内径より縮径している。
【００３４】
このような第１の内腔部２５および第２の内腔部２６は、チップ装着状態で、成分測定装置１００に設置されている測光部（図示せず）が照射する光による光学測定のための空間として機能する。
【００３５】
また、第２の内腔部２６の先端側、すなわち、チップ本体２の底部（先端部）には、試験紙５を支持、固定するための台座部２１が形成されている（図５参照）。試験紙５は、その外周部（固定部５１）において、例えば融着または接着剤による接着等の方法により台座部２１に固定される。
【００３６】
前述したように、チップ本体２の先端部には、導液部３が設けられている。
図５に示すように、導液部３は、その形状がすり鉢状をなしている。この導液部３は、導液面３１と、底板３２と、底板３２に形成された貫通孔３３とを有している。
【００３７】
導液面３１は、導液部３における比較的高さが低いほぼ円錐台形状の空間の外周部に相当しており、内径が先端方向に向って漸増するテーパ状をなしている。図６に示すように、たとえチップ１における血液７の付着位置がチップ１の中心軸１１からズレたとしても、導液面３１がテーパ状をなしていることにより、血液７が導液面３１に沿って流れることとなり、よって、その血液７を底板３２の中央部（貫通孔３３）に確実に集めることができる。
【００３８】
また、導液面３１には、放射状に配置された複数の溝（流下促進手段）３４が形成されている（図１参照）。これらの溝３４は、等角度間隔で配置されている。
【００３９】
このような溝３４が形成されていることにより、導液面３１に付着した血液７の流れが促進される。換言すれば、このような溝３４が形成されていることにより、導液面３１に付着した血液７が各溝３４内に入り込み、毛細管現象により各溝３４内を通って、底板３２の中央部に到達し易くなる。これにより、血液７を底板３２の中央部により確実に集ることができる。
【００４０】
なお、導液面３１のテーパ角度（図５中のθで示す角度）は、特に限定されず、例えば、２０〜１６０度であるのが好ましく、６０〜１２０度であるのがより好ましい。これにより、導液面３１に付着した血液７を底板３２の中央部により確実に集めることができる。
【００４１】
図１に示すように、底板３２の中央部には、貫通孔３３が設けられている。
貫通孔３３は、その中心から外周側（径方向）へ放射状に延びる４つの放射部３３１を有する形状をなしている、すなわち、十文字状をなしている。これにより、貫通孔３３の大きさを大きく設定することができ、よって、導液面３１から流下してきた血液７が貫通孔３３へ確実に流入することができる。
【００４２】
また、貫通孔３３は、底板３２に設けられているため、その長さが短くなる。チップ１に付着した血液７がたとえ微量であったとしても、貫通孔３３の長さが短いため、当該貫通孔３３を通過する血液７を確実に試験紙５に供給し、展開することができる。
【００４３】
なお、底板３２の板厚は、特に限定されず、例えば、０．１〜３ｍｍであるのが好ましく、０．３〜１ｍｍであるのがより好ましい。
【００４４】
また、隣接する放射部３３１の間には、ほぼ三角形状のリブ３６が形成されている。
各リブ３６の先端側の面には、対称に形成された２つの傾斜面３６１が設けられている。各傾斜面３６１は、貫通孔３３へ血液７を誘導する機能を有しており、これにより、導液面３１から流下してきた血液７が貫通孔３３へより確実に流入することができる。
【００４５】
図３、図５に示すように、底板３２における試験紙５側の面における貫通孔３３の近傍、すなわち、各リブ３６の基端側の面には、若干突出する突出部（突起）３５が形成されている。各突出部３５は、試験紙５に当接している。
このような突出部３５により、試験紙５と確実に接触することができる。
【００４６】
チップ本体２の基端側には、３本の爪（脚）４が立設されている。各爪４は、チップ本体２の径方向に弾性変形可能である。また、各爪４は、等角度間隔（本実施例では１２０°間隔）で配置されている。各爪４の形成位置は、チップ本体２の最大外径部（フランジ部２２）より内側である。
【００４７】
各爪４の外周面には、外方へ向かって突出する山型形状の突部４１が形成されている。図６に示すように、チップ装着状態では、各爪４がチップ装着部１０１に形成されたリング状の凹部１０２に挿入されて嵌合されるが、このとき、各爪４の突部４１は、縮径部１０３（凹部１０２の内壁が中心方向に向かって突出した部分）に係合する。そして、爪４が持つ弾性力により、各爪４は外周方向に向けて広がろうとし、その付勢力により突部４１が縮径部１０３に押し付けられ、前記の係合が維持される。これにより、チップ１がチップ装着部１０１に対し確実に嵌合、固定（装着）される。
【００４８】
前述したように、各爪４の形成位置がチップ本体２の最大外径部より内側であるため、チップ装着状態において、爪４は、チップ装着部１０１の外周面に露出することなくチップ装着部１０１の内部に収納される。そのため、チップ装着部１０１が何かに衝突した場合でも、チップ１がチップ装着部１０１に対し、ずれたり、外れたりすることが防止される。
【００４９】
また、複数の爪４が等角度間隔で設置されていることや、各爪４の突部４１がチップ装着部１０１に係合することにより、チップ装着状態をより安定的に維持することができる。
【００５０】
以上のようなチップ本体２、導液部３および爪４は、好ましくは樹脂材料で構成されている。この樹脂材料としては、例えば、アクリル系樹脂、ポリスチレン、ポリエチレン、ポリプロピレン、硬質ポリ塩化ビニル、ポリカーボネート、ポリメチルメタクリレート、ＡＢＳ樹脂、ポリエステル、ポリフェニレンサルファイド（ＰＰＳ）、ポリアミド、ポリイミド、ポリアセタール等またはこれらのうちの１種以上を含むポリマーアロイ、ポリマーブレンド等の各種樹脂材料が挙げられる。このなかでも、検体を迅速に導入、展開するのに特に適したものとして、アクリル系樹脂等の親水性の高い材料または親水化処理されたものが好ましい。
【００５１】
親水化処理としては、例えばプラズマ処理、グロー放電、コロナ放電、紫外線照射等の物理活性化処理の他、界面活性剤、水溶性シリコン、ヒドロキシプロピルセルロース、ポリエチレングリコール、ポリプロピレングリコール等の付与（塗布）等により行うことができる。
【００５２】
次に、試験紙５の形状、構造、材質等について説明する。
試験紙５の全体形状は、図３に示すような円形が好ましいが、これに限定されず、その他例えば、楕円形、正方形、長方形、菱形等の四角形、三角形、六角形、八角形等、必要に応じ選択して用いることができる。
【００５３】
この試験紙５は、検体（血液７）を吸収し得る担体に、試薬（発色試薬）を担持（含浸）させたものである。この担体は、好ましくは多孔質シートで構成されている。
【００５４】
多孔質シートによる担体を用いることにより、含浸させる試薬が特にオキシダーゼ反応のように酸素を用いる過程を含む試薬系の場合に、検体が試験紙５上に展開後、大気中の酸素の十分な供給が確保されるので、反応を迅速に進行させることができ、よって、検体またはその濾別成分（赤血球等）を除去することなく発色状態を検出することができる。
【００５５】
多孔質シートによる担体としては、不織布、織布、延伸処理したシート、メンブランフィルター、濾紙等が挙げられる。また、その構成材料としては、例えば、ポリエステル類、ポリアミド類、ポリオレフィン類、ポリスルホン類、セルロース類、珪酸塩、フッ素系樹脂等が挙げられる。より具体的には、例えば、ポリエチレンテレフタレート、ポリブチレンテレフタレート、ポリエーテルスルホン、ニトロセルロース、セルロース、ガラス、ポリテトラフルオロエチレン（テフロン：「テフロン」は登録商標）等が挙げられる。
【００５６】
このような担体の構成材料は、試薬を溶解した水溶液を含浸させて製造されたものや、検体の吸収、展開を迅速に行うために、親水性を有する材料または親水化処理されたものが好ましい。親水化処理としては、前述した方法と同様のものが挙げられる。
【００５７】
試験紙５に担持される試薬としては、血糖値測定用の場合、グルコースオキシターゼ（ＧＯＤ）と、ペルオキシターゼ（ＰＯＤ）と、例えば４−アミノアンチピリン、Ｎ−エチル−Ｎ−（２−ヒドロキシ−３−スルホプロピル）−ｍ−トルイジンのような発色剤（発色試薬）とが挙げられ、その他、測定成分に応じて、例えばアスコルビン酸オキシダーゼ、アルコールオキシダーゼ、コレステロールオキシダーゼ等の血液成分と反応するものと、前記と同様の発色剤（発色試薬）とが挙げられる。また、さらにリン酸緩衝液のような緩衝剤が含まれていてもよい。なお、試薬の種類、成分については、これらに限定されないことは言うまでもない。
【００５８】
このような多孔質シートによる担体は、血液中に含まれる血球、特に赤血球（以下、赤血球で代表する）が透過できない程度の孔径を有するものが好ましい。
【００５９】
前述したように、試験紙５の外周部には、固定部５１を有し、試験紙５は、この固定部５１において、融着または接着剤による接着等の方法によりチップ本体２の台座部２１に固定される。
【００６０】
なお、試験紙５の中心部分を突出部３５の基端面に融着または接着剤による接着等の方法により固定することもできる。これにより、試験紙５をさらに安定的にチップ本体２に支持、固定することができ、また、試験紙５の変形（湾曲、歪み、波打ち等）により、血液の均一な展開を妨げることも防止される。
【００６１】
以上述べたチップ１は、成分測定装置（血中成分測定装置）１００のチップ装着部１０１に装着して使用される。ここで、成分測定装置１００について簡単に説明する（図６参照）。
【００６２】
成分測定装置１００は、チップ装着部１０１を有している。チップ装着部１０１は、筒状をなしており、その先端部には、チップ１が着脱自在に装着される。
【００６３】
チップ装着部１０１には、リング状の凹部１０２が形成されている。この凹部１０２は、チップ装着部１０１の先端に開放している。また、凹部１０２の外周側の内壁は、中心方向に向かって山型状に突出した部分（縮径部１０３）を有する。
【００６４】
また、チップ装着部１０１の内側近傍には、発光素子（発光ダイオード）と、受光素子（フォトダイオード）とを有する測光部（図示せず）が設けられている。発光素子は、例えば所定の時間間隔でパルス光を発する。
【００６５】
また、成分測定装置１００は、マイクロコンピュータで構成される制御手段（図示せず）を有している。この制御手段には、測光部からの信号に基づいて目的とする血中成分（例えばブドウ糖）を算出する演算部が内蔵されている。
【００６６】
チップ装着部１０１にチップ１を装着し、後述するようにしてチップ１の試験紙５に検体を供給、展開した後、測定を行う。発光素子を点灯させると、発光素子から発せられた光は、チップ１の試験紙５に照射され、その反射光を得る。この反射光の強度は、試験紙５の呈色強度、すなわち検体中の目的成分の量（濃度）に対応している。この反射光は、受光素子に受光され、光電変換される。受光素子からは、その受光光量に応じたアナログ信号が出力され、該信号がデジタル信号に変換された後制御手段に入力され、所望の演算処理、補正処理等がなされ、検体中の目的成分量が定量化される（血糖値が求まる）。
【００６７】
チップ装着状態においては、試験紙５がチップ装着部１０１と非接触である（図６参照）。そのため、試験紙５が保護され、試験紙５の傷付きや破れが防止されるとともに、試験紙５がチップ装着部１０１に接触してチップ装着部１０１に血液が付着し、汚染されることが防止される。
【００６８】
次に、チップ装着状態の成分測定装置１００の使用方法について、図６を参照しつつ、説明する。
【００６９】
まず、指先２００（または耳たぶ）等を針やメス等で穿刺し、該穿刺部から皮膚上に微量（例えば１μＬ以下）の血液７を流出（吐出）させる。
【００７０】
一方、成分測定装置１００のチップ装着部１０１に前述したようにチップ１を装着し、導液部３の導液面３１を皮膚に当接させる。指先２００の血液７は、溝３４内を経て貫通孔３３へ至り、毛細管現象により吸引されて貫通孔３３内を基端方向へ流れ、試験紙５へ到達する（吸収される）。このとき、指先２００の血液７は、溝３４から有効に吸入されるので、皮膚上で過剰に散らされることもなく、ロスも少ない。また、貫通孔３３の長さが短いので、血液７の量が微量であっても、その血液７が十分に（確実に）試験紙５に到達する。
【００７１】
このように、指先２００の血液７の量が比較的少ない（微量の）場合でも、それを無駄なく試験紙５へ供給することができる。すなわち、指先２００の血液７の量が比較的少ない場合でも、その血液７を確実に採取することができる。
【００７２】
試験紙５上への血液の供給に伴い、血液中の目的成分（例えばブドウ糖）と試験紙５に担持された試薬とが反応し、目的成分の量に応じて呈色する。
【００７３】
試験紙５の呈色強度を前述したように成分測定装置１００で光学的に測定することにより、血液中の目的成分量（血糖値）が求まる。
【００７４】
測定終了後は、チップ装着部１０１に内蔵されているピン１０４を先端方向へスライドさせ、ピン１０４の先端でチップ１のフランジ部２２を押圧し、チップ１をチップ装着部１０１から取り外す。この取り外された使用済みのチップ１は、廃棄処分に供される。
【００７５】
＜第２実施形態＞
図７は、本発明の成分測定用チップの第２実施形態を示す平面図、図８は、図７に示すの成分測定用チップの側面図、図９は、図７中のＣ−Ｃ線断面図である。なお、図８中の左側を「基端」、右側を「先端」として説明する。
【００７６】
以下、これらの図を参照して本発明の分測定用チップの第２実施形態について説明するが、前述した実施形態との相違点を中心に説明し、同様の事項はその説明を省略する。
【００７７】
本実施形態は、チップ本体の形状が異なること以外は前記第１実施形態と同様である。
図７〜図９に示すように、チップ１Ａのチップ本体２Ａは、その形状がほぼ円盤状をなしている。
【００７８】
チップ本体２Ａの先端側の外周部２７は、外径が先端方向に向って漸減している、すなわち、テーパ状をなしている。
【００７９】
また、チップ本体２Ａの基端側の外周部２８は、その外径が外周部２７の外径より拡径するように形成されている。すなわち、チップ本体２Ａの基端側の外周部２８は、フランジ部２２で構成されている。
【００８０】
このような構成のチップ１Ａでは、その大きさを前記第１実施形態で述べたチップ１より小さく設定することができる。これにより、チップ１Ａを保管、携帯し易くなる。
【００８１】
以上、本発明の成分測定用チップを図示の実施形態について説明したが、本発明は、これに限定されるものではなく、成分測定用チップを構成する各部は、同様の機能を発揮し得る任意の構成のものと置換することができる。また、任意の構成物が付加されていてもよい。
【００８２】
また、貫通孔における放射部の形成数は、４つであるのに限定されず、例えば、２つ、３つ、または５つ以上であってもよい。
【００８３】
また、成分測定装置のチップ装着部への装着方法は、チップに設けられた爪による係合（方法）であるのに限定されず、例えば、磁気的な吸着による方法であってもよい。
【図面の簡単な説明】
【００８４】
【図１】本発明の成分測定用チップの第１実施形態を示す平面図である。
【図２】図１に示す成分測定用チップの側面図である。
【図３】図１に示す成分測定用チップの底面図（下面図）である。
【図４】図１中のＡ−Ａ線断面図である。
【図５】図４中の二点鎖線で囲まれた領域［Ｂ］の拡大詳細図である。
【図６】図１に示す成分測定用チップを成分測定装置に装着して血液（検体）を採取するときの状態を示す縦断面図である。
【図７】本発明の成分測定用チップの第２実施形態を示す平面図である。
【図８】図７に示すの成分測定用チップの側面図である。
【図９】図７中のＣ−Ｃ線断面図である。
【符号の説明】
【００８５】
１、１Ａ        チップ（成分測定用チップ）
１１            中心軸
２、２Ａ        チップ本体
２１            台座部
２２            フランジ部
２３            基端面
２４            外周部
２４１          第１のテーパ部
２４２          第２のテーパ部
２５            第１の内腔部
２６            第２の内腔部
２７、２８      外周部
３              導液部
３１            導液面
３２            底板
３３            貫通孔
３３１          放射部
３４            溝
３５            突出部
３６            リブ
３６１          傾斜面
４              爪
４１            突部
５              試験紙
５１            固定部
７              血液
１００          成分測定装置
１０１          チップ装着部
１０２          凹部
１０３          縮径部
１０４          ピン
２００          指先
【図１】
2006098230.tif 000003
【図２】
2006098230.tif 000004
【図３】
2006098230.tif 000005
【図４】
2006098230.tif 000006
【図５】
2006098230.tif 000007
【図６】
2006098230.tif 000008
【図７】
2006098230.tif 000009
【図８】
2006098230.tif 000010
【図９】
2006098230.tif 000011